(57)【要約】  アフィリエイトを複数人で分配する場合、アフィリエイトサーバの負荷が増大するという課題を解決する。アフィリエイト分配装置は、ユーザがＥＣサイトで商品を購入し又はサービス提供を受けたとき、アフィリエイトデータベースに記憶する分配比率に基づいて、報酬額全額を投稿者データベースまたは紹介者データベースのいずれか一方に加算する。成果報酬ごとに分配比率を参照して報酬額を分割する演算や、さらに、分割された報酬額をそれぞれのデータベースに累積加算する処理がなくなり、システムへの負荷を軽減することができる。
2011007721.tif 000002
【特許請求の範囲】
【請求項１】
サービス又は商品を説明するコンテンツを管理するコンテンツ管理者と当該コンテンツを紹介する紹介ページ管理者との間で、成果報酬を分配するためのアフィリエイト分配装置において、
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とを記憶するアフィリエイトデータベース；および
前記紹介ページのアフィリエイトプログラムを介してユーザがＥＣサイトで商品を購入し又はサービス提供を受けたとき、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する制御部；を備えており、
前記制御部は、ユーザがＥＣサイトで商品を購入し又はサービス提供を受けたとき、前記アフィリエイトデータベースに記憶された分配比率に基づいて、コンテンツ管理者データベース又は紹介者データベースのいずれか一方を決定して報酬額全額を加算することを特徴とする、アフィリエイト分配装置。
【請求項２】
前記アフィリエイトデータベースに記憶する分配比率がコンテンツ管理者と紹介ページ管理者との間で不均等（Ｎ：Ｍ）に設定されている場合、成果報酬の報酬額全額をコンテンツ管理者データベース又は紹介者データベースのいずれか一方に（Ｎ／（Ｎ＋Ｍ））の比率で加算し、成果報酬の報酬額全額をコンテンツ管理者データベース又は紹介者データベースのいずれか他方に（Ｍ／（Ｎ＋Ｍ））の比率で加算する、請求項１記載のアフィリエイト分配装置。
【請求項３】
前記アフィリエイトデータベースに記憶する分配比率がコンテンツ管理者と紹介ページ管理者との間で均等に設定されている場合、成果報酬の報酬額全額をコンテンツ管理者データベースと紹介者データベースとに交互に加算する、請求項１記載のアフィリエイト分配装置。
【請求項４】
前記アフィリエイトデータベースに記憶する分配比率がコンテンツ管理者と紹介ページ管理者との間で均等に設定されている場合、成果報酬の報酬額全額をコンテンツ管理者データベース又は紹介者データベースのいずれか一方に所定回加算し、成果報酬の報酬額全額をコンテンツ管理者データベース又は紹介者データベースのいずれか他方に前記所定回と同一回加算する、請求項１記載のアフィリエイト分配装置。 
【請求項５】
前記アフィリエイトプログラムは、前記ユーザの端末装置にクッキーを生成する機能を有しており、当該クッキーには、成果報酬を加算するコンテンツ管理者データベース又は紹介者データベースの種別が記述されている、請求項１記載のアフィリエイト分配装置。
【請求項６】
前記アフィリエイトプログラムは、前記ユーザの端末装置にクッキーを生成する機能を有しており、当該クッキーには、成果報酬を加算するコンテンツ管理者データベース又は紹介者データベースの種別が記述されており、前記アフィリエイトデータベースに記憶する分配比率がコンテンツ管理者と紹介ページ管理者との間で均等に設定されている場合、ユーザの端末装置へのクッキー生成時において交互にコンテンツ管理者データベース又は紹介者データベースの種別が記述される、請求項１記載のアフィリエイト分配装置。
【請求項７】
前記コンテンツが動画データであり、前記ユーザの端末装置に表示される動画再生フレーム内にアフィリエイトリンクが重畳表示される、請求項１記載のアフィリエイト分配装置。
【請求項８】
前記アフィリエイトデータベースには、成果報酬を分配する分配方式が記憶されており、
前記制御部は、ユーザがＥＣサイトで商品を購入し又はサービス提供を受けたとき、前記アフィリエイトデータベースに記憶された分配比率および分配方式に基づいて、コンテンツ管理者データベース又は紹介者データベースのいずれか一方を決定して報酬額全額を加算することを特徴とする、請求項１に記載のアフィリエイト分配装置。
【請求項９】
サービス又は商品を説明するコンテンツを管理するコンテンツ管理者と当該コンテンツを紹介する紹介ページ管理者との間で、成果報酬を分配するためのアフィリエイト分配システムにおいて、
前記コンテンツを管理するコンテンツ管理用の端末装置から商品又はサービスのコンテンツデータを受け付けて記憶するコンテンツデータベース；
コンテンツ管理者の情報を記憶するコンテンツ管理者データベース；
紹介ページ管理者の情報を記憶する紹介者データベース；
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とを記憶するアフィリエイトデータベース；および
前記紹介ページのアフィリエイトプログラムを介してユーザがＥＣサイトで商品を購入し又はサービス提供を受けたとき、前記ＥＣサイトから利用データを受け付け、前記アフィリエイトデータベースを参照し、コンテンツ管理者データベース又は紹介者データベースに成果報酬の報酬額を分配して加算するアフィリエイト分配装置；を備えており、
前記アフィリエイト分配装置は、ユーザがＥＣサイトで商品を購入し又はサービス提供を受けたとき、前記アフィリエイトデータベースに記憶された分配比率に基づいて、コンテンツ管理者データベース又は紹介者データベースのいずれか一方を決定して報酬額全額を加算することを特徴とする、アフィリエイト分配システム。
【請求項１０】
サービス又は商品を説明するコンテンツを管理するコンテンツ管理者と当該コンテンツを紹介する紹介ページ管理者との間で、成果報酬を分配するためのアフィリエイト分配方法において、
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とをアフィリエイトデータベースに記憶する第１のステップと；
前記紹介ページのアフィリエイトプログラムを介してユーザがＥＣサイトで商品を購入し又はサービス提供を受けたとき、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する第２のステップ；を有しており、
前記第２のステップでは、ユーザがＥＣサイトで商品を購入し又はサービス提供を受けたとき、前記アフィリエイトデータベースに記憶された分配比率に基づいて、コンテンツ管理者データベース又は紹介者データベースのいずれか一方を決定して報酬額全額を加算することを特徴とする、アフィリエイト分配方法。
【請求項１１】
コンピュータに、サービス又は商品を説明するコンテンツを管理するコンテンツ管理者と当該コンテンツを紹介する紹介ページ管理者との間で、成果報酬を分配するためのアフィリエイト分配方法を機能させるプログラムにおいて、
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とをアフィリエイトデータベースに記憶する第１のステップと；
前記紹介ページのアフィリエイトプログラムを介してユーザがＥＣサイトで商品を購入し又はサービス提供を受けたとき、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する第２のステップ；を有しており、
前記第２のステップでは、ユーザがＥＣサイトで商品を購入し又はサービス提供を受けたとき、前記アフィリエイトデータベースに記憶された分配比率に基づいて、コンテンツ管理者データベース又は紹介者データベースのいずれか一方を決定して報酬額全額を加算することを特徴とする、アフィリエイト分配プログラム。
【請求項１２】
コンピュータに、サービス又は商品を説明するコンテンツを管理するコンテンツ管理者と当該コンテンツを紹介する紹介ページ管理者との間で、成果報酬を分配するためのアフィリエイト分配方法を機能させるプログラムを記録したコンピュータ読み取り可能な記録媒体において、
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とをアフィリエイトデータベースに記憶する第１のステップと；
前記紹介ページのアフィリエイトプログラムを介してユーザがＥＣサイトで商品を購入し又はサービス提供を受けたとき、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する第２のステップ；を有しており、
前記第２のステップでは、ユーザがＥＣサイトで商品を購入し又はサービス提供を受けたとき、前記アフィリエイトデータベースに記憶された分配比率に基づいて、コンテンツ管理者データベース又は紹介者データベースのいずれか一方を決定して報酬額全額を加算することを特徴とする、アフィリエイト分配プログラムを記録したコンピュータ読み取り可能な記録媒体。
【請求項１３】
商品説明ページ管理者と商品説明ページを紹介する紹介ページ管理者との間で、成果報酬を分配するためのアフィリエイト分配システムにおいて、
説明ページ管理者の端末装置から商品またはサービスの投稿データを受け付けて記憶する商品またはサービス説明データベース；
商品またはサービス説明ページ管理者の情報を記憶する投稿者データベース；
紹介ページ管理者の情報を記憶する紹介者データベース；
前記紹介ページ管理者の端末装置に提供するアフィリエイトプログラムと、成果報酬の報酬額と、前記説明ページ管理者と前記紹介ページ管理者との間の成果報酬の分配比率と、前記成果報酬の分配方式を記憶するアフィリエイトデータベース；
前記紹介ページ管理者の端末装置からリクエストがあったとき、当該端末装置に、前記商品説明データベースから商品説明データを提供するための説明データリンクと、前記紹介ページに貼付けられるアフィリエイトプログラムを有するアフィリエイトリンクを送信するアフィリエイトツール提供装置；および
前記紹介ページのアフィリエイトリンクを介してユーザがＥＣサイトで商品を購入しまたはサービス提供を受けたとき、前記ＥＣサイトから利用データを受け付け、前記アフィリエイトデータベースを参照し、成果報酬を投稿者データベースまたは紹介者データベースに分配加算するアフィリエイト分配装置；
を備えており、
前記アフィリエイト分配装置は、前記アフィリエイトデータベースに記憶する分配比率および分配方式に従って、前記報酬額データを投稿者データベースまたは紹介者データベースのいずれか一方に加算することを特徴とする、
アフィリエイト分配システム。
【発明の詳細な説明】
【技術分野】
【０００１】
本発明は、アフィリエイト分配装置、アフィリエイト分配システム、アフィリエイト分配方法、アフィリエイト分配プログラムおよびコンピュータ読み取り可能な記録媒体に関する。より詳細には、本発明は、サービス又は商品を説明するコンテンツから遷移してＥＣ（Electronic Commerce）サイトで商品等の購入処理が行われた場合だけでなく、当該コンテンツを紹介する第三者の紹介ページ（アフィリエイトサイト）から遷移してＥＣサイトで商品等の購入処理が行われた場合に、コンテンツ管理者と紹介ページ管理者との間で、成果報酬を分配するためのアフィリエイト分配装置、アフィリエイト分配システム、アフィリエイト分配方法、アフィリエイト分配プログラムおよびコンピュータ読み取り可能な記録媒体に関する。
【背景技術】
【０００２】
アフィリエイトシステムは、アフィリエイトサイトが提供するサービス又は商品を説明するコンテンツを経由してＥＣサイトの商品等が購入された場合に、ＥＣサイトの管理者からコンテンツの管理者やアフィリエイトサイトの管理者にポイント等の報酬が付与される仕組みを採用する。
特許文献１には、アフィリエイトサイトが提供するコンテンツを経由してＥＣサイトの商品等が購入された場合、ＥＣサイトからアフィリエイトサイトに報酬が支払われるアフィリエイトシステムが開示されている。このアフィリエイトシステムは、ユーザ端末に再生されるスクリーンセーバーに映像コンテンツを配信し、ユーザが、再生中の映像コンテンツを契機としてＥＣサイトの商品等を購入したとき、そのアフィリエイト報酬の一部を映像コンテンツの制作者に分配するように処理することが記載されている。
【先行技術文献】
【特許文献】
【０００３】
【特許文献１】特開２００７−２１９８６０号公報
【発明の概要】
【発明が解決しようとする課題】
【０００４】
ところで、前記特許文献記載のアフィリエイトシステムでは、紹介ページ（アフィリエイトサイト）およびコンテンツ管理者（映像コンテンツ制作者）への報酬分配を目的としており、以下に掲げる課題がある。【０００５】
アフィリエイトの報酬を分配する報酬分配ルールに基づいて紹介ページ管理者およびコンテンツ管理者に支払うべき報酬がそれぞれ算出されるが、その算出ルールの具体的な内容が不明である。仮に比率を決めて分配するにしても、一定の金額（またはポイントのようなバリュー）を比率に基づいて分配すると、ＥＣサイトでの商品等の購入のたびにシステム内で、紹介ページ管理者とコンテンツ管理者のそれぞれに報酬の分配処理が必要となる。ＥＣサイトでの商品等の購入が希なときはシステム負荷を危惧する必要はないが、紹介ページを介する商取引が増大するときは、分配処理の累積を無視することができなくなり、サーバへの負担が増大する。【０００６】
本発明の目的は、サービス又は商品を説明するコンテンツを紹介する第三者の紹介ページから遷移してＥＣサイトで商品等の購入処理が行われた場合に、コンテンツ管理者とコンテンツを紹介する紹介ページ管理者との間で、成果報酬を分配するためのアフィリエイト分配システムにおいて、アフィリエイト分配処理によってサーバへの負担を軽減できるアフィリエイト分配装置、アフィリエイト分配システム、アフィリエイト分配方法、アフィリエイト分配プログラムおよびコンピュータ読み取り可能な記録媒体を提供することにある。
【課題を解決するための手段】
【０００７】
本発明に係るアフィリエイト分配装置は、サービス又は商品を説明するコンテンツを管理するコンテンツ管理者と当該コンテンツを紹介する紹介ページ管理者との間で、成果報酬を分配するためのアフィリエイト分配装置において、前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とを記憶するアフィリエイトデータベース；および前記紹介ページのアフィリエイトプログラムを介してユーザがＥＣサイトで商品を購入し又はサービス提供を受けたとき、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する制御部；を備えており、前記制御部は、ユーザがＥＣサイトで商品を購入し又はサービス提供を受けたとき、前記アフィリエイトデータベースに記憶された分配比率に基づいて、コンテンツ管理者データベース又は紹介者データベースのいずれか一方を決定して報酬額全額を加算するものである。【０００８】
本発明に係るアフィリエイト分配システムは、サービス又は商品を説明するコンテンツを管理するコンテンツ管理者と当該コンテンツを紹介する紹介ページ管理者との間で、成果報酬を分配するためのアフィリエイト分配システムにおいて、前記コンテンツを管理するコンテンツ管理用の端末装置から商品又はサービスのコンテンツデータを受け付けて記憶するコンテンツデータベース；コンテンツ管理者の情報を記憶するコンテンツ管理者データベース；紹介ページ管理者の情報を記憶する紹介者データベース；前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とを記憶するアフィリエイトデータベース；および前記紹介ページのアフィリエイトプログラムを介してユーザがＥＣサイトで商品を購入し又はサービス提供を受けたとき、前記ＥＣサイトから利用データを受け付け、前記アフィリエイトデータベースを参照し、コンテンツ管理者データベース又は紹介者データベースに成果報酬の報酬額を分配して加算するアフィリエイト分配装置；を備えており、前記アフィリエイト分配装置は、ユーザがＥＣサイトで商品を購入し又はサービス提供を受けたとき、前記アフィリエイトデータベースに記憶された分配比率に基づいて、コンテンツ管理者データベース又は紹介者データベースのいずれか一方を決定して報酬額全額を加算するものである。【０００９】
本発明に係るアフィリエイト分配方法は、サービス又は商品を説明するコンテンツを管理するコンテンツ管理者と当該コンテンツを紹介する紹介ページ管理者との間で、成果報酬を分配するためのアフィリエイト分配方法において、前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とをアフィリエイトデータベースに記憶する第１のステップと；前記紹介ページのアフィリエイトプログラムを介してユーザがＥＣサイトで商品を購入し又はサービス提供を受けたとき、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する第２のステップ；を有しており、前記第２のステップでは、ユーザがＥＣサイトで商品を購入し又はサービス提供を受けたとき、前記アフィリエイトデータベースに記憶された分配比率に基づいて、コンテンツ管理者データベース又は紹介者データベースのいずれか一方を決定して報酬額全額を加算するものである。【００１０】
本発明に係るアフィリエイト分配プログラムは、コンピュータに、サービス又は商品を説明するコンテンツを管理するコンテンツ管理者と当該コンテンツを紹介する紹介ページ管理者との間で、成果報酬を分配するためのアフィリエイト分配方法を機能させるものである。【００１１】
本発明に係るコンピュータ読み取り可能な記録媒体は、コンピュータに、サービス又は商品を説明するコンテンツを管理するコンテンツ管理者と当該コンテンツを紹介する紹介ページ管理者との間で、成果報酬を分配するためのアフィリエイト分配方法を機能させるプログラムを記録したものである。【００１２】
本発明に係るアフィリエイト分配システムは、商品説明ページ管理者と商品説明ページを紹介する紹介ページ管理者との間で、成果報酬を分配するためのアフィリエイト分配システムにおいて、説明ページ管理者の端末装置から商品またはサービスの投稿データを受け付けて記憶する商品またはサービス説明データベース；商品またはサービス説明ページ管理者の情報を記憶する投稿者データベース；紹介ページ管理者の情報を記憶する紹介者データベース；前記紹介ページ管理者の端末装置に提供するアフィリエイトプログラムと、成果報酬の報酬額と、前記説明ページ管理者と前記紹介ページ管理者との間の成果報酬の分配比率と、前記成果報酬の分配方式を記憶するアフィリエイトデータベース；前記紹介ページ管理者の端末装置からリクエストがあったとき、当該端末装置に、前記商品説明データベースから商品説明データを提供するための説明データリンクと、前記紹介ページに貼付けられるアフィリエイトプログラムを有するアフィリエイトリンクを送信するアフィリエイトツール提供装置；および前記紹介ページのアフィリエイトリンクを介してユーザがＥＣサイトで商品を購入しまたはサービス提供を受けたとき、前記ＥＣサイトから利用データを受け付け、前記アフィリエイトデータベースを参照し、成果報酬を投稿者データベースまたは紹介者データベースに分配加算するアフィリエイト分配装置；を備えており、前記アフィリエイト分配装置は、前記アフィリエイトデータベースに記憶する分配比率および分配方式に従って、前記報酬額データを投稿者データベースまたは紹介者データベースのいずれか一方に加算することを特徴とするものである。
【発明の効果】
【００１３】
本発明によれば、ユーザがＥＣサイトで商品を購入し又はサービス提供を受けたとき、アフィリエイトデータベースに記憶された分配比率に基づいて、コンテンツ管理者データベース又は紹介者データベースのいずれか一方を決定して報酬額全額を加算するものである。【００１４】
これにより、成果報酬ごとに分配比率を参照して報酬額を分割する演算や、さらに、分割した報酬額をそれぞれのデータベースに累積加算する処理がなくなり、システムへの負荷を軽減することができる。【００１５】
さらに本発明によれば、成果報酬が発生したときに、説明ページ管理者と紹介ページ管理者の一方に連続して成果報酬が集中して加算されるので、増分が顕著化して成果を印象づけることができる効果もある。 
【図面の簡単な説明】
【００１６】
【図１】図１は本発明によるアフィリエイト分配システムが利用されるネットワーク概要を示す図である。
【図２】図２はＥＣサーバ１００と店舗２００とユーザ３００との間の処理を説明するブロック図である。
【図３】図３はＥＣサーバの概要構成の一例を示すブロック図である。
【図４】図４は店舗データベース、商品データベース、会員データベース、会員利用データベースに登録される情報の内容の一例を示す図である。
【図５】図５は店舗データベースに登録される店舗情報の処理フロー、および、商品データベースに登録される商品説明情報と商品画像情報の処理フローを示す図である。
【図６】図６は投稿者端末４００、紹介者端末５００、動画サーバ６００およびアフィリエイトサーバ７００との間の処理を説明するブロック図である。
【図７】図７は動画サーバおよびアフィリエイトサーバの概要構成の一例を示すブロック図である。
【図８】図８は動画データベース、投稿者データベース、紹介者データベースに登録される情報の内容の一例を示す図である。
【図９】図９はアフィリエイトデータベースに登録される情報の内容の一例を示す図である。
【図１０】図１０は投稿者データベースに登録される投稿者情報の処理フローを示す図である。
【図１１】図１１は動画データベースに登録される動画データの処理フロー、および、投稿者ページに生成される動画リンク・アフィリエイトリンクの処理フローを示す図である。
【図１２】図１２は投稿者ページの表示例を示す図である。
【図１３】図１３は紹介者データベースに登録される紹介者情報の処理フローを示す図である。
【図１４】図１４は紹介者ページに生成される動画リンク・アフィリエイトリンクの処理フローを示す図である。
【図１５】図１５は紹介者ページの表示例を示す図である。
【図１６】図１６は投稿者ページ経由でネットショッピングサイトＳにおいて商品購入が行われた場合のアフィリエイト付与の処理フローを示す図である。
【図１７】図１７は投稿者ページ経由でネットショッピングサイトＳにおいて商品購入が行われた場合に、投稿者に付与される報酬の例を示す図である。
【図１８】図１８は紹介者ページ経由でネットショッピングサイトＳにおいて商品購入が行われた場合のアフィリエイト付与の処理フローを示す図である。
【図１９】図１９は紹介者ページ経由でネットショッピングサイトＳにおいて商品購入が行われた場合に、投稿者および紹介者に付与される報酬の例を示す図である。
【発明を実施するための形態】
【００１７】
以下、図面を参照して本発明の最良の実施形態について詳細に説明する。
以下に説明する実施の形態は、ユーザが端末装置を用いることによりネットワークを通じて商品を購入（所謂、ネットショッピング）することができるショッピングシステムに対して本発明を適用した場合を前提とするが、商品を購入するだけでなく、サービスを利用する形態にも本発明を利用することができる。
また、以下に説明する実施の形態は、最良の実施形態として、投稿対象が商品を説明する動画である場合を前提とするが、動画の代わりに商品説明やサービス説明を投稿する場合や、動画とともに商品説明やサービス説明を投稿する場合も本発明の範囲に含まれる。
【００１８】
図１は、本発明によるアフィリエイト分配システムが利用されるネットワーク概要を示すブロック図である。
本発明のアフィリエイト分配システムが利用されるネットワーク環境は、
（１）ネットショッピングサイトＳを運営・提供するＥＣサーバ１００と、
（２）ネットショッピングサイトＳに出店する店舗の店舗端末２００（２１０、２２０，２３０）と、
（３）ネットショッピングサイトＳで商品を購入するユーザのユーザ端末３００（３１０、３２０）と、
（４）ネットショッピングサイトＳの商品について商品説明データを制作し、そのデータを投稿し、そのデータを自身のページで公開する投稿者端末４００と、
（５）投稿者が管理するページで商品説明データにアクセスして、商品説明データを引用し、自身のページで公開する紹介者端末５００と、
（６）投稿者（コンテンツ管理者の一例）、紹介者、サービス又は商品を説明する動画データ（コンテンツの一例）を管理する動画サーバ６００と、
（７）投稿者および紹介者にアフィリエイトリンクとアフィリエイトプログラムを提供し、ユーザの商品購入履歴に基づき成果報酬を演算し、投稿者および／または紹介者に成果報酬を付与するアフィリエイトサーバ７００と、
より構成される。アフィリエイトプログラムは、コンテンツを紹介する紹介ページから当該コンテンツのサービス又は商品を扱うＥＣサイトにユーザを導く。
ＥＣサーバ１００、店舗端末２００、ユーザ端末３００、投稿者端末４００、紹介者端末５００、動画サーバ６００およびアフィリエイトサーバ７００は、ネットワークを介して、例えば、通信プロトコルにＴＣＰ／ＩＰ（Transmission Control Protocol/Internet Protocol）等を用いて相互にデータの送受信が可能になっている。なお、ネットワークは、例えば、インターネット、専用通信回線（例えば、ＣＡＴＶ（Community Antenna Television）回線）、移動体通信網（基地局等を含む）、及びゲートウェイ等により構築されている。
本発明のアフィリエイト分配システムの好ましい利用態様では、ユーザが紹介者ページのアフィリエイトリンクを介してＥＣサーバ１００で商品を購入した際、成果報酬を投稿者データベース（コンテンツ管理者データベースの一例）と紹介者データベースに特定の分配方式で振り分ける点に特徴を有する。
【００１９】
図２は、ＥＣサーバ１００と店舗端末２００とユーザ端末３００との間の処理を説明するブロック図である。
【００２０】
店舗担当者は、店舗端末２１０（２２０，２３０・・・）を介し、ＥＣサーバ１００に店舗情報と商品情報を保存する。ＥＣサーバ１００は、制御部１１０の管理下において、店舗端末２１０の操作に応じて、店舗情報を店舗データベース１２０に保存し、商品情報を商品データベース１３０に保存する。
また、店舗担当者は、ＥＣサーバ１００に対して所定の手続を取ることにより、アフィリエイト対象店舗またはアフィリエイト対象商品を登録することができる。
【００２１】
ユーザは、ユーザ端末３１０，３２０を介し、ＥＣサーバ１００に会員情報を保存する。ＥＣサーバ１００は、制御部１１０の管理下において、ユーザ端末３１０，３２０の操作に応じて、会員情報を会員データベース１４０に保存する。ユーザは、ユーザ端末３１０，３２０を介し、ネットショッピングサイトＳにおいて商品を購入することができる。
本実施形態では、ユーザ端末３１０、３２０が、そのブラウザにおいてクッキーが有効であることを前提とする。
【００２２】
図３はＥＣサーバ１００の概要構成の一例を示すブロック図である。ＥＣサーバ１００は、操作部と、表示部（例えば、ＣＲＴ（Cathode Ray Tube）ディスプレイ、液晶ディスプレイ等）と、通信部と、ドライブ部と、記憶部と、入出力インタフェース部と、システム制御部１１０とを備えている。システム制御部１１０と入出力インタフェース部とは、システムバスを介して接続されている。 
操作部は、例えば、キーボード、マウス等であり、オペレータ等からの操作指示を受け付け、その指示内容を指示信号としてシステム制御部１１０に出力する。表示部は、例えば、ＣＲＴ（Cathode Ray Tube）ディスプレイ、液晶ディスプレイ等であり、文字や画像等の情報を表示する。通信部は、ネットワークＮＷに接続して、店舗端末２００、ユーザ端末３００との通信状態を制御する。ドライブ部は、例えば、フレキシブルディスク、ＣＤ（Compact Disc）、ＤＶＤ（Digital Versatile Disc）等のディスクからデータ等を読み出す一方、当該ディスクに対してデータ等を記録する。また、記憶部は、例えば、ハードディスクドライブ等であり、各種プログラム及びデータ等を記憶し、画像データ記憶手段の一例を構成する。入出力インタフェース部は、操作部〜記憶部とシステム制御部１１０との間のインタフェース処理を行う。システム制御部１１０は、ＣＰＵ（Central Processing Unit）、ＲＯＭ（Read Only Memory）、ＲＡＭ（Random Access Memory）等を備える。
記憶部には、店舗情報データベース１２０、商品情報データベース１３０、会員情報データベース１４０及び会員利用データベース１５０が構築されている。
【００２３】
図４は、記憶部の各データベースに登録される情報の内容の一例を示す図である。
店舗データベース１２０には、店舗に関する情報と、アフィリエイト対応フラグが記憶されている。アフィリエイト対応フラグは、店舗が外部サイトのアフィリエイト広告を許可しているか否かの情報である。
商品データベース１３０には、店舗ＩＤに紐付いて、商品に関する情報と、アフィリエイト対応フラグが記憶されている。アフィリエイト対応フラグは、その商品が外部サイトのアフィリエイト広告を許可しているか否かの情報である。
会員データベース１４０には、会員に関する個人情報が記憶されている。
会員利用データベース１５０には、会員ＩＤに紐付いて、購入履歴等の情報が記憶されている。
【００２４】
図５は店舗データベースに登録される店舗情報の処理フロー、および、商品データベースに登録される商品説明情報と商品画像情報の処理フローを示す図である。
店舗担当者は、店舗端末２１０を操作してＥＣサーバ１００にアクセスし、店舗名称や住所等の情報を入力すると、ＥＣサーバ１００は店舗情報データベース１２０に店舗名称等を保存する。
店舗担当者は、店舗端末２１０を操作してＥＣサーバ１００にアクセスし、認証後に商品説明を入力し、商品画像を送信すると、ＥＣサーバ１００は商品データベース１３０に商品説明情報（例えば、テキスト）と商品画像（例えば、ＧＩＦ画像）を保存する。
【００２５】
図６は、投稿者端末４００と紹介者端末５００と動画サーバ６００とアフィリエイトサーバ７００との間の処理を説明するブロック図である。
【００２６】
投稿者は、ＥＣサーバ１００のネットショッピングサイトＳにおいて、商品説明情報と商品画像を閲覧し、商品説明動画を制作し、投稿者自身の投稿者ページ４１０で紹介をするとともに、商品説明動画を第三者にも利用可能な形態で提供する。また、投稿者は、ユーザ３１０が投稿者ページ４１０を介してＥＣサーバ１００のネットショッピングサイトＳで商品を購入した場合に、投稿者に成果報酬が発生するように、商品説明動画のフレーム４２０に隣接させ、または、商品説明動画のフレーム内に重畳させ、投稿者ページ４１０にアフィリエイトリンク４３０を貼付けている。
【００２７】
紹介者は、投稿者ページ４１０で商品説明動画を閲覧し、紹介者自身の紹介者ページ５１０で紹介をする。また、紹介者は、ユーザ３２０が紹介者ページ５１０を介してＥＣサーバ１００のネットショッピングサイトＳで商品を購入した場合に、紹介者に成果報酬が発生するように、商品説明動画のフレーム５２０に隣接させ、または、商品説明動画のフレーム５２０内に重畳させ、投稿者ページ５１０にアフィリエイトリンク５３０を貼付けている。
【００２８】
図７は、動画サーバ６００およびアフィリエイトサーバ７００の概要構成の一例を示すブロック図である。図１および図６において、動画サーバ６００とアフィリエイトサーバ７００は１つのブロック内に記載され、図７に示すように制御部を共用して同一のサーバとすることができる。一方、動画サーバ６００とアフィリエイトサーバ７００を別々のサーバで構成してもよい。ここでは、制御部６１０，７１０が各データベースを管理するものとして説明を行う。
【００２９】
動画サーバ６００およびアフィリエイトサーバ７００は、操作部と、表示部（例えば、ＣＲＴ（Cathode Ray Tube）ディスプレイ、液晶ディスプレイ等）と、通信部と、ドライブ部と、記憶部と、入出力インタフェース部と、システム制御部６１０とを備えている。システム制御部６１０と入出力インタフェース部とは、システムバスを介して接続されている。
操作部は、例えば、キーボード、マウス等であり、オペレータ等からの操作指示を受け付け、その指示内容を指示信号としてシステム制御部６１０に出力する。表示部は、例えば、ＣＲＴ（Cathode Ray Tube）ディスプレイ、液晶ディスプレイ等であり、文字や画像等の情報を表示する。通信部は、ネットワークＮＷに接続して、ＥＣサーバ１００、投稿者端末４００、紹介者端末５００との通信状態を制御する。ドライブ部は、例えば、フレキシブルディスク、ＣＤ（Compact Disc）、ＤＶＤ（Digital Versatile Disc）等のディスクからデータ等を読み出す一方、当該ディスクに対してデータ等を記録する。また、記憶部は、例えば、ハードディスクドライブ等であり、各種プログラム及びデータ等を記憶し、画像データ記憶手段の一例を構成する。入出力インタフェース部は、操作部〜記憶部とシステム制御部６１０との間のインタフェース処理を行う。システム制御部６１０は、ＣＰＵ（Central Processing Unit）、ＲＯＭ（Read Only Memory）、ＲＡＭ（Random Access Memory）等を備える。
記憶部には、動画データベース６２０、投稿者データベース６３０、紹介者データベース６４０及びアフィリエイトデータベース７２０が構築されている。
【００３０】
図８および図９は、記憶部の各データベースに登録される情報の内容の一例を示す図である。
動画データベース６２０には、投稿者が制作した商品詳細情報のデータが記憶されている。このデータは、商品説明テキストおよび商品説明動画の情報である。また、動画ＩＤに紐付いて、この動画の配信先の情報が記憶されている。投稿者自身の端末が配信先である場合と、紹介者端末が配信先である場合があるので、配信先情報として使用されるのは、投稿者ＩＤと紹介者ＩＤである。
投稿者データベース６３０には、投稿者ＩＤに紐付いて投稿者に関する個人情報が記憶されている。また、投稿者データベース６３０には、動画配信先となる投稿者ページＵＲＬと、紹介許可フラグが記憶されている。紹介許可フラグは、例えば、紹介者への動画配信を許可するか拒否するかを表す情報である。フラグが立っている場合、投稿者が制作した動画が、紹介者に配信されることになる。さらに、投稿者データベース６３０には、振分け比率が記憶されている。
紹介者データベース６４０には、紹介者ＩＤに紐付いて、投稿者に関する個人情報が記憶されている。また、紹介者データベース６４０には、動画配信先となる紹介者ページＵＲＬが記憶されている。
【００３１】
図９に示されるように、アフィリエイトデータベース７２０には、投稿者端末４００または紹介者端末５００に提供されるアフィリエイトプログラムと、ユーザ端末装置３１０、３２０に保存するクッキーデータが記憶されている。
アフィリエイトプログラムは、投稿者による投稿者端末４００の操作に応じて、ボタンアイコンとして投稿者ページ４１０に貼付けられる。また、アフィリエイトプログラムは、紹介者による紹介者端末５００の操作に応じて、ボタンアイコンとして紹介者ページ５１０に貼付けられる。
クッキーデータは、ユーザがユーザ端末装置３１０、３２０を操作して、投稿者ページ４１０のボタンアイコンまたは紹介者ページ５１０のボタンアイコンをクリックしたとき、ユーザ端末装置３１０、３２０のブラウザに生成されるデータである。
【００３２】
また、アフィリエイトデータベース７２０には、動画ＩＤに紐付いて、報酬種別、報酬付与時期などが記憶されている。報酬種別は、ポイント、キャッシュ、仮想通貨などの交換価値であるバリューの種別を表すデータ、報酬付与時期は、リアルタイムやバッチ処理の種別を表すデータである。
さらに、アフィリエイトデータベース７２０には、振分けフラグ、振分け比率、振分け方式が記憶されている。振分けフラグは、ＥＣサーバで成果報酬が発生したときに分配対象であるかどうかを表すデータである。振分け比率は、具体的には投稿者と紹介者との間における成果報酬の分配率である。振分け比率は、例えば、投稿者０．５０、紹介者０．５０や、投稿者０．８０、紹介者０．２０である。この振分け比率は、投稿者データベース６３０の振分け比率と連動している。振分け方式は、成果報酬が発生したときに、投稿者または紹介者のいずれか一方に成果報酬の報酬額全額を付与する処理内容である。
【００３３】
振分け方式は、発生タイミングに着目すると、例えば、
（１）ＥＣサーバ１００から成果報酬付与データを受信したときに振分け比率を参照して処理する方式と、
（２）ユーザ端末にクッキーを生成する際に、クッキーデータに投稿者ＩＤまたは紹介者ＩＤを書き込んで、クッキーを参照して処理する方式がある。
【００３４】
また、振分け方式は、処理タイミングに着目すると、例えば、
（Ａ）振分け比率が投稿者０．５０、紹介者０．５０の場合において、交互に成果報酬を全額付与する方式、
（Ｂ）振分け比率が投稿者０．５０、紹介者０．５０の場合において、成果報酬の報酬額全額を投稿者データベース又は紹介者データベースのいずれか一方に所定回、例えば（Ｎ／２）回連続して加算し、成果報酬の報酬額全額を投稿者データベース又は紹介者データベースのいずれか他方に前記所定回と同一回、例えば（Ｎ／２）回連続して加算する方式（Ｎは偶数）、
（Ｃ）振分け比率が投稿者０．５０、紹介者０．５０の場合において、交互にクッキーへ投稿者ＩＤまたは紹介者ＩＤを書き込む方式、
（Ｄ）振分け比率が投稿者０．５０、紹介者０．５０の場合において、アフィリエイトボタンをクリックしたユーザに対して、投稿者ＩＤまたは紹介者ＩＤのいずれか一方に所定回、例えば（Ｎ／２）回連続して書込み、投稿者ＩＤまたは紹介者ＩＤのいずれか他方を前記所定回と同一回、例えば（Ｎ／２）回連続して書き込む方式（Ｎは偶数）、
（Ｅ）振分け比率が投稿者０．８０（Ｎ）、紹介者０．２０（Ｍ）の場合において、成果報酬の報酬額全額を投稿者データベース又は紹介者データベースのいずれか一方に（Ｎ／（Ｎ＋Ｍ））の比率で連続して加算し、成果報酬の報酬額全額を投稿者データベース又は紹介者データベースのいずれか他方に（Ｍ／（Ｎ＋Ｍ））の比率で連続して加算する方式、
（Ｆ）振分け比率が投稿者０．８０（Ｎ）、紹介者０．２０（Ｍ）の場合において、アフィリエイトボタンをクリックしたユーザに対して、投稿者ＩＤまたは紹介者ＩＤのいずれか一方を（Ｎ／（Ｎ＋Ｍ））の比率で連続して書込み、投稿者ＩＤまたは紹介者ＩＤのいずれか一方を（Ｍ／（Ｎ＋Ｍ））の比率で連続して書込む方式、
などが記憶されている。
【００３５】
アフィリエイターＩＤのレコードは、動画ＩＤに紐付いて、成果報酬を発生させるべき投稿者や紹介者を記憶している。その他、アフィリエイトデータベース７２０には、成果発生データなども記憶されている。
【００３６】
図１０は、投稿者データベース６３０に登録される投稿者情報の処理フローを示す図である。投稿者は、投稿者端末４００を操作して動画サーバ６００にアクセスし、氏名等の登録情報を入力する。動画サーバ６００は、登録情報を受け付けて、その情報を投稿者データベース６３０に登録する。動画サーバ６００は投稿者端末４００に対して登録通知を送信する。
【００３７】
図１１は、動画データベース６２０に登録される動画データの処理フロー、および、投稿者ページに生成される動画リンク・アフィリエイトリンクの処理フローを示す図である。
投稿者は、投稿者端末４００を操作して動画サーバ６００にアクセスすると、動画サーバ６００は、認証ページを送信し、ＩＤ等の所定情報を受け付け、認証処理を行い、動画投稿のための管理画面を送信する。投稿者は、投稿者端末４００を操作して、商品説明文や商品説明動画を管理画面に入力する。動画サーバ６００は、投稿者端末４００から商品説明文や商品説明動画を受け付けて、商品説明文や商品説明動画を動画データベース６２０に保存する。
投稿者は、自身の投稿者ページで動画を再生したい場合は、動画サーバ６００に対して、動画リンクとなる再生プログラムをリクエストする。動画サーバ６００は、リクエストに対して、再生プログラムを生成して投稿者端末４００に送信する。投稿者は、投稿者ページにおいて動画リンクを貼付ける。投稿者ページを訪れたユーザが動画リンクとなる再生プログラムを操作すると、動画フレーム４２０で商品説明動画が再生される。商品説明文については、投稿者自身で投稿者ページに作成してもよく、動画データとともに動画サーバ６００から受け付けてページ上に表示させてもよい。
投稿者は、自身の投稿者ページにアフィリエイトリンクを貼付けたい場合は、アフィリエイトサーバ７００に対して、アフィリエイトリンクとなるアフィリエイトプログラムをリクエストする。アフィリエイトサーバ７００は、リクエストに対して、アフィリエイトプログラムを生成して投稿者端末４００に送信する。投稿者は、投稿者ページにおいてアフィリエイトリンクを貼付ける。投稿者ページを訪れたユーザがアフィリエイトリンクを介してネットショッピングサイトＳを訪れると、アフィリエイトプログラムはユーザのブラウザにクッキーを生成する。その後、ユーザがネットショッピングサイトＳで商品を購入すると投稿者に成果報酬が発生する。
【００３８】
図１２は投稿者ページ４１０の表示例である。投稿者が投稿者端末を操作して動画リンクおよびアフィリエイトリンクを生成した場合、投稿者ページには、動画操作ボタンとともに動画リンクが生成されている。アフィリエイトリンクは動画フレーム内に重畳して生成されている。また、投稿者ページ４１０には、投稿者データベース６３０の紹介許可フラグに対応して紹介を許可する記述がされている。
【００３９】
図１３は、紹介者データベース６４０に登録される紹介者情報の処理フローを示す図である。紹介者は、紹介者端末５００を操作して動画サーバ６００にアクセスし、氏名等の登録情報を入力する。動画サーバ６００は、登録情報を受け付けて、その情報を紹介者データベース６４０に登録する。動画サーバ６００は紹介者端末５００に対して登録通知を送信する。
【００４０】
図１４は、紹介者ページに生成される動画リンク・アフィリエイトリンクの処理フローを示す図である。ここで、紹介者は、投稿者ページ４１０において商品説明動画を視聴し、紹介リンク許可を確認した上で、自身の紹介ページ５１０においてリンク設定を事前検討しているものとする。
紹介者は、自身の紹介者ページで動画を再生したい場合は、動画サーバ６００に対して、動画リンクとなる再生プログラムをリクエストする。動画サーバ６００は、リクエストに対して、再生プログラムを生成して紹介者端末５００に送信する。紹介者は、紹介者ページにおいて動画リンクを貼付ける。紹介者ページを訪れたユーザが動画リンクとなる再生プログラムを操作すると、動画フレーム５２０で商品説明動画が再生される。商品説明文については、紹介者自身で紹介者ページに作成してもよく、動画データとともに動画サーバ６００から受け付けてページ上に表示させてもよい。
紹介者は、自身の紹介者ページにアフィリエイトリンクを貼付けたい場合は、アフィリエイトサーバ７００に対して、アフィリエイトリンクとなるアフィリエイトプログラムをリクエストする。アフィリエイトサーバ７００は、リクエストに対して、アフィリエイトプログラムを生成して紹介者端末５００に送信する。紹介者は、紹介者ページにおいてアフィリエイトリンクを貼付ける。紹介者ページを訪れたユーザがアフィリエイトリンクを介してネットショッピングサイトＳを訪れると、アフィリエイトプログラムはユーザのブラウザにクッキーを生成する。その後、ユーザがネットショッピングサイトＳで商品を購入すると紹介者にも成果報酬が発生する。
【００４１】
図１５は、紹介者ページの表示例である。紹介者が紹介者端末を操作して動画リンクおよびアフィリエイトリンクを生成した場合、紹介者ページには、動画操作ボタンとともに動画リンクが生成されている。アフィリエイトリンクは動画フレーム内に重畳して生成されている。
紹介者にとっては、動画リンクとアフィリエイトリンクを自身のブログページに貼り付けるだけで成果報酬を受け取る機会が発生し、投稿者においてもバイラル的に成果報酬を受け取る機会が発生する。
【００４２】
図１６は、投稿者ページ経由でネットショッピングサイトＳにおいて商品購入が行われた場合のアフィリエイト付与の処理フローを示す図である。
ユーザがユーザ端末装置３１０を操作して投稿者ページ４１０をリクエストすると、ユーザ端末装置３１０のブラウザによって投稿者ページ４１０がモニターに表示される。ユーザがユーザ端末装置３１０の入力装置によって動画視聴ボタンを操作すると、動画サーバ６００の動画データベース６１０から動画データがダウンロードされ、動画フレーム内で商品説明動画が再生される。
アフィリエイトプログラムには、アフィリエイトサーバのＵＲＬと、ネットショッピングサイトＳへのリダイレクト指令と、ネットショッピングサイトＳのＵＲＬが埋め込まれている。ユーザがユーザ端末装置３１０を操作してアフィリエイトボタンをクリックしたとき、アフィリエイトサーバ７００がクッキーデータをユーザ端末装置３１０に送る。このとき、ユーザ端末装置３１０のブラウザがクッキーを生成する。クッキーには、有効期間とともに、商品ＩＤ，動画ＩＤ，投稿者ＩＤなどが保存される。
ユーザがユーザ端末装置３１０を操作してネットショッピングサイトＳで商品を購入すると、購入データが会員利用データベースに保存される。ＥＣサーバは、ユーザに課金処理をし、リアルタイム・バッチ処理のいずれでもよいが商品購入データがアフィリエイトサーバに送信される。
【００４３】
図１７は、投稿者ページ経由でネットショッピングサイトＳにおいて商品購入が行われた場合に、投稿者に付与される報酬の例を示す図である。アフィリエイトサーバ７００は、商品購入データを受信すると、同時に商品ＩＤ，投稿者ＩＤを受信し、アフィリエイトデータベースを参照して投稿者データベースに成果報酬を書き込む。図１７に示される例では、投稿者のみが成果報酬を受け取ることを示している。投稿者は、リアルタイム・バッチ処理のいずれかによって成果報酬を受け取る。
【００４４】
図１８は、紹介者ページ経由でネットショッピングサイトＳにおいて商品購入が行われた場合のアフィリエイト付与の処理フローを示す図である。 
ユーザがユーザ端末装置３２０を操作して紹介者ページ５１０をリクエストすると、ユーザ端末装置３２０のブラウザによって紹介者ページ５１０がモニターに表示される。ユーザがユーザ端末装置３２０の入力装置によって動画視聴ボタンを操作すると、動画サーバ６００の動画データベース６１０から動画データがダウンロードされ、動画フレーム内で商品説明動画が再生される。
アフィリエイトプログラムには、アフィリエイトサーバのＵＲＬと、ネットショッピングサイトＳへのリダイレクト指令と、ネットショッピングサイトＳのＵＲＬが埋め込まれている。ユーザがユーザ端末装置３２０を操作してアフィリエイトボタンをクリックしたとき、アフィリエイトサーバ７００がクッキーデータをユーザ端末装置３２０に送る。このとき、ユーザ端末装置３２０のブラウザがクッキーを生成する。クッキーには、有効期間とともに、商品ＩＤ，動画ＩＤ，投稿者ＩＤ、紹介者ＩＤ、などが保存される。
ユーザがユーザ端末装置３２０を操作してネットショッピングサイトＳで商品を購入すると、購入データが会員利用データベースに保存される。ＥＣサーバは、ユーザに課金処理をし、リアルタイム・バッチ処理のいずれでもよいが商品購入データがアフィリエイトサーバに送信される。
【００４５】
図１９は、投稿者ページ経由でネットショッピングサイトＳにおいて商品購入が行われた場合に、投稿者に付与される報酬の例を示す図である。アフィリエイトサーバ７００は、商品購入データを受信すると、同時に商品ＩＤ，投稿者ＩＤ、紹介者ＩＤを受信し、アフィリエイトデータベースを参照して投稿者データベースに成果報酬を書き込む。
【００４６】
図１９に示される例では、投稿者および紹介者が成果報酬を受け取ることを示している。例１では、（Ａ）振分け比率が投稿者０．５０、紹介者０．５０の場合において、交互に成果報酬を全額付与する方式を採用している。付与処理は、クッキー書込み時でも、成果報酬付与時のいずれでもよい。例２では、（Ｅ）振分け比率が投稿者０．８０（Ｎ）、紹介者０．２０（Ｍ）の場合において、成果報酬の報酬額全額を投稿者データベース又は紹介者データベースのいずれか一方に（Ｎ／（Ｎ＋Ｍ））の比率で連続して加算し、成果報酬の報酬額全額を投稿者データベース又は紹介者データベースのいずれか他方に（Ｍ／（Ｎ＋Ｍ））の比率で連続して加算する方式を採用している。
【００４７】
以上説明したように、本発明は、紹介ページへの動画の提供が容易であり、成果報酬の管理が容易であり、アフィリエイトサーバの負荷を軽減できる。また、本発明では、単位期間当り・一定期間当りの成果報酬の増分を顕著化させることができる。このように、成果報酬の増分が顕著化して成果を印象づけることができる。
また、アフィリエイトで動画コンテンツを用いることで、ＥＣサイトで商品が購入される機会が大幅に増えることが期待でき、アフィリエイトサイトおよび動画コンテンツ制作者への報酬も期待できる。
【符号の説明】
【００４８】
１００  ＥＣサーバ
２００  ネットショッピングサイトＳに出店する店舗端末
３００  ユーザ端末装置
４００  投稿者端末装置
５００  紹介者端末装置
６００  動画サーバ
７００  アフィリエイトサーバ
【図１】
2011007721.tif 000003
【図２】
2011007721.tif 000004
【図３】
2011007721.tif 000005
【図４】
2011007721.tif 000006
【図５】
2011007721.tif 000007
【図６】
2011007721.tif 000008
【図７】
2011007721.tif 000009
【図８】
2011007721.tif 000010
【図９】
2011007721.tif 000011
【図１０】
2011007721.tif 000012
【図１１】
2011007721.tif 000013
【図１３】
2011007721.tif 000014
【図１４】
2011007721.tif 000015
【図１５】
2011007721.tif 000016
【図１６】
2011007721.tif 000017
【図１７】
2011007721.tif 000018
【図１８】
2011007721.tif 000019
【図１９】
2011007721.tif 000020
【図１２】
2011007721.tif 000021
【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
サービス又は商品を説明するコンテンツを管理するコンテンツ管理者と当該コンテンツを紹介する紹介ページ管理者との間で、成果報酬を分配するためのアフィリエイト分配装置において、
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とを記憶するアフィリエイトデータベース；および
前記紹介ページのアフィリエイトプログラムを介してユーザがＥＣサイトで商品を購入し又はサービス提供を受けた場合に、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する制御部；を備えており、
前記制御部は、前記ＥＣサイトから前記利用データを受け付けるたびに、前記アフィリエイトデータベースに記憶された分配比率に基づいて、コンテンツ管理者データベース又は紹介者データベースのいずれか一方を決定して報酬額全額を加算することを特徴とする、アフィリエイト分配装置。
【請求項２】
前記アフィリエイトデータベースに記憶する分配比率がコンテンツ管理者と紹介ページ管理者との間で不均等（Ｎ：Ｍ）に設定されている場合、成果報酬の報酬額全額をコンテンツ管理者データベース又は紹介者データベースのいずれか一方に（Ｎ／（Ｎ＋Ｍ））の比率で加算し、成果報酬の報酬額全額をコンテンツ管理者データベース又は紹介者データベースのいずれか他方に（Ｍ／（Ｎ＋Ｍ））の比率で加算する、請求項１記載のアフィリエイト分配装置。
【請求項３】
前記アフィリエイトデータベースに記憶する分配比率がコンテンツ管理者と紹介ページ管理者との間で均等に設定されている場合、成果報酬の報酬額全額をコンテンツ管理者データベースと紹介者データベースとに交互に加算する、請求項１記載のアフィリエイト分配装置。
【請求項４】
前記アフィリエイトデータベースに記憶する分配比率がコンテンツ管理者と紹介ページ管理者との間で均等に設定されている場合、成果報酬の報酬額全額をコンテンツ管理者データベース又は紹介者データベースのいずれか一方に所定回加算し、成果報酬の報酬額全額をコンテンツ管理者データベース又は紹介者データベースのいずれか他方に前記所定回と同一回加算する、請求項１記載のアフィリエイト分配装置。 
【請求項５】
前記アフィリエイトプログラムは、前記ユーザの端末装置にクッキーを生成する機能を有しており、当該クッキーには、成果報酬を加算するコンテンツ管理者データベース又は紹介者データベースの種別が記述されている、請求項１記載のアフィリエイト分配装置。
【請求項６】
前記アフィリエイトプログラムは、前記ユーザの端末装置にクッキーを生成する機能を有しており、当該クッキーには、成果報酬を加算するコンテンツ管理者データベース又は紹介者データベースの種別が記述されており、前記アフィリエイトデータベースに記憶する分配比率がコンテンツ管理者と紹介ページ管理者との間で均等に設定されている場合、ユーザの端末装置へのクッキー生成時において交互にコンテンツ管理者データベース又は紹介者データベースの種別が記述される、請求項１記載のアフィリエイト分配装置。
【請求項７】
前記コンテンツが動画データであり、前記ユーザの端末装置に表示される動画再生フレーム内にアフィリエイトリンクが重畳表示される、請求項１記載のアフィリエイト分配装置。
【請求項８】
前記アフィリエイトデータベースには、成果報酬を分配する分配方式が記憶されており、
前記制御部は、前記ＥＣサイトから前記利用データを受け付けるたびに、前記アフィリエイトデータベースに記憶された分配比率および分配方式に基づいて、コンテンツ管理者データベース又は紹介者データベースのいずれか一方を決定して報酬額全額を加算することを特徴とする、請求項１に記載のアフィリエイト分配装置。
【請求項９】
サービス又は商品を説明するコンテンツを管理するコンテンツ管理者と当該コンテンツを紹介する紹介ページ管理者との間で、成果報酬を分配するためのアフィリエイト分配システムにおいて、
前記コンテンツを管理するコンテンツ管理用の端末装置から商品又はサービスのコンテンツデータを受け付けて記憶するコンテンツデータベース；
コンテンツ管理者の情報を記憶するコンテンツ管理者データベース；
紹介ページ管理者の情報を記憶する紹介者データベース；
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とを記憶するアフィリエイトデータベース；および
前記紹介ページのアフィリエイトプログラムを介してユーザがＥＣサイトで商品を購入し又はサービス提供を受けた場合に、前記ＥＣサイトから利用データを受け付け、前記アフィリエイトデータベースを参照し、コンテンツ管理者データベース又は紹介者データベースに成果報酬の報酬額を分配して加算するアフィリエイト分配装置；を備えており、
前記アフィリエイト分配装置は、前記ＥＣサイトから前記利用データを受け付けるたびに、前記アフィリエイトデータベースに記憶された分配比率に基づいて、コンテンツ管理者データベース又は紹介者データベースのいずれか一方を決定して報酬額全額を加算することを特徴とする、アフィリエイト分配システム。
【請求項１０】
サービス又は商品を説明するコンテンツを管理するコンテンツ管理者と当該コンテンツを紹介する紹介ページ管理者との間で、成果報酬を分配するためのアフィリエイト分配方法において、
成果報酬を分配するアフィリエイト分配装置が、前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とをアフィリエイトデータベースに記憶する第１のステップと；
前記アフィリエイト分配装置が、前記紹介ページのアフィリエイトプログラムを介してユーザがＥＣサイトで商品を購入し又はサービス提供を受けた場合に、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する第２のステップ；を有しており、
前記第２のステップでは、前記ＥＣサイトから前記利用データを受け付けるたびに、前記アフィリエイトデータベースに記憶された分配比率に基づいて、コンテンツ管理者データベース又は紹介者データベースのいずれか一方を決定して報酬額全額を加算することを特徴とする、アフィリエイト分配方法。
【請求項１１】
コンピュータに、サービス又は商品を説明するコンテンツを管理するコンテンツ管理者と当該コンテンツを紹介する紹介ページ管理者との間で、成果報酬を分配するためのアフィリエイト分配方法を機能させるプログラムにおいて、
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とをアフィリエイトデータベースに記憶する第１のステップと；
前記紹介ページのアフィリエイトプログラムを介してユーザがＥＣサイトで商品を購入し又はサービス提供を受けた場合に、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する第２のステップ；を有しており、
前記第２のステップでは、前記ＥＣサイトから前記利用データを受け付けるたびに、前記アフィリエイトデータベースに記憶された分配比率に基づいて、コンテンツ管理者データベース又は紹介者データベースのいずれか一方を決定して報酬額全額を加算することを特徴とする、アフィリエイト分配プログラム。
【請求項１２】
コンピュータに、サービス又は商品を説明するコンテンツを管理するコンテンツ管理者と当該コンテンツを紹介する紹介ページ管理者との間で、成果報酬を分配するためのアフィリエイト分配方法を機能させるプログラムを記録したコンピュータ読み取り可能な記録媒体において、
前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とをアフィリエイトデータベースに記憶する第１のステップと；
前記紹介ページのアフィリエイトプログラムを介してユーザがＥＣサイトで商品を購入し又はサービス提供を受けた場合に、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する第２のステップ；を有しており、
前記第２のステップでは、前記ＥＣサイトから前記利用データを受け付けるたびに、前記アフィリエイトデータベースに記憶された分配比率に基づいて、コンテンツ管理者データベース又は紹介者データベースのいずれか一方を決定して報酬額全額を加算することを特徴とする、アフィリエイト分配プログラムを記録したコンピュータ読み取り可能な記録媒体。
【請求項１３】
商品説明ページ管理者と商品説明ページを紹介する紹介ページ管理者との間で、成果報酬を分配するためのアフィリエイト分配システムにおいて、
説明ページ管理者の端末装置から商品またはサービスの投稿データを受け付けて記憶する商品またはサービス説明データベース；
商品またはサービス説明ページ管理者の情報を記憶する投稿者データベース；
紹介ページ管理者の情報を記憶する紹介者データベース；
前記紹介ページ管理者の端末装置に提供するアフィリエイトプログラムと、成果報酬の報酬額と、前記説明ページ管理者と前記紹介ページ管理者との間の成果報酬の分配比率と、前記成果報酬の分配方式を記憶するアフィリエイトデータベース；
前記紹介ページ管理者の端末装置からリクエストがあったとき、当該端末装置に、前記商品説明データベースから商品説明データを提供するための説明データリンクと、前記紹介ページに貼付けられるアフィリエイトプログラムを有するアフィリエイトリンクを送信するアフィリエイトツール提供装置；および
前記紹介ページのアフィリエイトリンクを介してユーザがＥＣサイトで商品を購入しまたはサービス提供を受けた場合に、前記ＥＣサイトから利用データを受け付け、前記アフィリエイトデータベースを参照し、成果報酬を投稿者データベースまたは紹介者データベースに分配加算するアフィリエイト分配装置；
を備えており、
前記アフィリエイト分配装置は、前記ＥＣサイトから前記利用データを受け付けるたびに、前記アフィリエイトデータベースに記憶する分配比率および分配方式に従って、投稿者データベースまたは紹介者データベースのいずれか一方を決定して報酬額全額を加算することを特徴とする、
アフィリエイト分配システム。
【手続補正２】
【補正対象書類名】明細書
【補正対象項目名】０００７
【補正方法】変更
【補正の内容】
【０００７】
本発明に係るアフィリエイト分配装置は、サービス又は商品を説明するコンテンツを管理するコンテンツ管理者と当該コンテンツを紹介する紹介ページ管理者との間で、成果報酬を分配するためのアフィリエイト分配装置において、前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とを記憶するアフィリエイトデータベース；および前記紹介ページのアフィリエイトプログラムを介してユーザがＥＣサイトで商品を購入し又はサービス提供を受けた場合に、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する制御部；を備えており、前記制御部は、前記ＥＣサイトから前記利用データを受け付けるたびに、前記アフィリエイトデータベースに記憶された分配比率に基づいて、コンテンツ管理者データベース又は紹介者データベースのいずれか一方を決定して報酬額全額を加算するものである。
【手続補正３】
【補正対象書類名】明細書
【補正対象項目名】０００８
【補正方法】変更
【補正の内容】
【０００８】
本発明に係るアフィリエイト分配システムは、サービス又は商品を説明するコンテンツを管理するコンテンツ管理者と当該コンテンツを紹介する紹介ページ管理者との間で、成果報酬を分配するためのアフィリエイト分配システムにおいて、前記コンテンツを管理するコンテンツ管理用の端末装置から商品又はサービスのコンテンツデータを受け付けて記憶するコンテンツデータベース；コンテンツ管理者の情報を記憶するコンテンツ管理者データベース；紹介ページ管理者の情報を記憶する紹介者データベース；前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とを記憶するアフィリエイトデータベース；および前記紹介ページのアフィリエイトプログラムを介してユーザがＥＣサイトで商品を購入し又はサービス提供を受けた場合に、前記ＥＣサイトから利用データを受け付け、前記アフィリエイトデータベースを参照し、コンテンツ管理者データベース又は紹介者データベースに成果報酬の報酬額を分配して加算するアフィリエイト分配装置；を備えており、前記アフィリエイト分配装置は、前記ＥＣサイトから前記利用データを受け付けるたびに、前記アフィリエイトデータベースに記憶された分配比率に基づいて、コンテンツ管理者データベース又は紹介者データベースのいずれか一方を決定して報酬額全額を加算するものである。
【手続補正４】
【補正対象書類名】明細書
【補正対象項目名】０００９
【補正方法】変更
【補正の内容】
【０００９】
本発明に係るアフィリエイト分配方法は、サービス又は商品を説明するコンテンツを管理するコンテンツ管理者と当該コンテンツを紹介する紹介ページ管理者との間で、成果報酬を分配するためのアフィリエイト分配方法において、成果報酬を分配するアフィリエイト分配装置が、前記コンテンツを紹介する紹介ページから、当該コンテンツのサービス又は商品を扱うＥＣサイトにユーザを導くためのアフィリエイトプログラムと、成果報酬の報酬額と、前記コンテンツ管理者と前記紹介ページ管理者との間の成果報酬の分配比率とをアフィリエイトデータベースに記憶する第１のステップと；前記アフィリエイト分配装置が、前記紹介ページのアフィリエイトプログラムを介してユーザがＥＣサイトで商品を購入し又はサービス提供を受けた場合に、前記ＥＣサイトから利用データを受け付け、前記アフィリエイトデータベースを参照し、前記コンテンツ管理者の情報を記憶するコンテンツ管理者データベース、又は前記紹介ページ管理者の情報を記憶する紹介者データベースに成果報酬の報酬額を分配して加算する第２のステップ；を有しており、前記第２のステップでは、前記ＥＣサイトから前記利用データを受け付けるたびに、前記アフィリエイトデータベースに記憶された分配比率に基づいて、コンテンツ管理者データベース又は紹介者データベースのいずれか一方を決定して報酬額全額を加算するものである。
【手続補正５】
【補正対象書類名】明細書
【補正対象項目名】００１２
【補正方法】変更
【補正の内容】
【００１２】
本発明に係るアフィリエイト分配システムは、商品説明ページ管理者と商品説明ページを紹介する紹介ページ管理者との間で、成果報酬を分配するためのアフィリエイト分配システムにおいて、説明ページ管理者の端末装置から商品またはサービスの投稿データを受け付けて記憶する商品またはサービス説明データベース；商品またはサービス説明ページ管理者の情報を記憶する投稿者データベース；紹介ページ管理者の情報を記憶する紹介者データベース；前記紹介ページ管理者の端末装置に提供するアフィリエイトプログラムと、成果報酬の報酬額と、前記説明ページ管理者と前記紹介ページ管理者との間の成果報酬の分配比率と、前記成果報酬の分配方式を記憶するアフィリエイトデータベース；前記紹介ページ管理者の端末装置からリクエストがあったとき、当該端末装置に、前記商品説明データベースから商品説明データを提供するための説明データリンクと、前記紹介ページに貼付けられるアフィリエイトプログラムを有するアフィリエイトリンクを送信するアフィリエイトツール提供装置；および前記紹介ページのアフィリエイトリンクを介してユーザがＥＣサイトで商品を購入しまたはサービス提供を受けた場合に、前記ＥＣサイトから利用データを受け付け、前記アフィリエイトデータベースを参照し、成果報酬を投稿者データベースまたは紹介者データベースに分配加算するアフィリエイト分配装置；を備えており、前記アフィリエイト分配装置は、前記ＥＣサイトから前記利用データを受け付けるたびに、前記アフィリエイトデータベースに記憶する分配比率および分配方式に従って、投稿者データベースまたは紹介者データベースのいずれか一方を決定して報酬額全額を加算するものである。
【国際調査報告】
2011007721.tif 000022
2011007721.tif 000023